(57)【要約】【課題】緑化対象面の周囲環境に悪影響を与えることなく、これとマッチした緑化を安価かつ確実に行うことができ、自然度の高い緑化を行うことのできる傾斜面の緑化方法を提供すること。【解決手段】緑化対象である傾斜面１に、鞘部１０を備えた植生ネット２を敷設した後、前記鞘部１０に適宜高さの補強部材７を挿入して前記鞘部１０および補強部材７によって適宜高さかつ前記傾斜面１の等高線に平行な植生基材受け部３を形成し、この植生基材受け部３の上方側の傾斜面１に表土シードバンクを含んだ植生基材４を吹き付ける。【選択図】      図１
2004316110.tif 000002
【特許請求の範囲】
【請求項１】
緑化対象である傾斜面に、鞘部を備えた植生ネットを敷設した後、前記鞘部に適宜高さの補強部材を挿入して前記鞘部および補強部材によって適宜高さかつ前記傾斜面の等高線に平行な植生基材受け部を形成し、この植生基材受け部の上方側の傾斜面に表土シードバンクを含んだ植生基材を吹き付けることを特徴とする傾斜面の緑化方法。
【請求項２】
緑化対象である傾斜面に、鞘部に適宜高さの補強部材を予め挿入してある植生ネットを敷設して、前記鞘部および補強部材によって適宜高さかつ前記傾斜面の等高線に平行な植生基材受け部を形成し、この植生基材受け部の上方側の傾斜面に表土シードバンクを含んだ植生基材を吹き付けることを特徴とする傾斜面の緑化方法。
【請求項３】
補強部材が網体である請求項１または２に記載の傾斜面の緑化方法。
【請求項４】
緑化対象である傾斜面に、植生ネットを、前記傾斜面の等高線に平行な鞘部が形成されるようにして敷設し、前記鞘部の最上位を、前記傾斜面の等高線に平行に保持された持ち上げ部材によって持ち上げて植生基材受け部を形成し、この植生基材受け部の上方側の傾斜面に表土シードバンクを含んだ植生基材を吹き付けることを特徴とする傾斜面の緑化方法。
【請求項５】
植生ネットに肥料袋が装着されている請求項１〜４のいずれかに記載の傾斜面の緑化方法。
【発明の詳細な説明】
【０００１】
【発明の属する技術分野】
この発明は、法面など傾斜面の緑化方法に関する。
【０００２】
【従来の技術】
【特許文献１】特開２００２−３３２６２４号公報
近年、生物の多様性、遺伝子攪乱防止などへの配慮から、緑化施工地周辺の植物を使用することへの要望が高まっており、施工地周辺の種子を採取して用いたり、施工地周辺の表層土壌や施工地周辺の森林内からそこに生育する植物の種子を埋土種子として含む表土シードバンクを採取して、この表土シードバンクを緑化方法に使用する傾向が高まって、それが実施されつつある。
【０００３】
【発明が解決しようとする課題】しかしながら、上記表土シードバンクを活用する緑化方法において、緑化対象面である法面など傾斜面を吹き付け等によって全面を緑化を行おうとすると、その吹き付け等のために採取する表土の量が多くなりそれだけ周囲環境に与える影響が大きくなるとともにコスト高となる。また、目的とする木本類の侵入が遅れるといった問題がある。
【０００４】この発明は、上述の事柄に留意してなされたもので、その目的は、緑化対象面の周囲環境に悪影響を与えることなく、これとマッチした緑化を安価かつ確実に行うことができ、自然度の高い緑化を行うことのできる傾斜面の緑化方法（以下、単に緑化方法という）を提供することである。
【０００５】
【課題を解決するための手段】上記目的を達成するため、この発明の緑化方法は、緑化対象である傾斜面に、鞘部を備えた植生ネットを敷設した後、前記鞘部に適宜高さの補強部材を挿入して前記鞘部および補強部材によって適宜高さかつ前記傾斜面の等高線に平行な植生基材受け部を形成し、この植生基材受け部の上方側の傾斜面に表土シードバンクを含んだ植生基材を吹き付けることを特徴としている（請求項１）。
【０００６】また、この発明の緑化方法は、緑化対象である傾斜面に、鞘部に適宜高さの補強部材を予め挿入してある植生ネットを敷設して、前記鞘部および補強部材によって適宜高さかつ前記傾斜面の等高線に平行な植生基材受け部を形成し、この植生基材受け部の上方側の傾斜面に表土シードバンクを含んだ植生基材を吹き付けることを特徴としている（請求項２）。
【０００７】上記いずれの緑化方法においても、緑化対象面（または施工対象面）である傾斜面に、植生ネットの一部に形成された鞘部および補強部材による植生基材受け部が適宜の間隔をおいて適宜高さかつ等高線に平行になるように形成されるので、この植生基材受け部の上方側の傾斜面に表土シードバンクを含んだ植生基材を吹き付けることによって、前記傾斜面に等高線に平行になるように複数の植生帯が形成される。そして、これらの植生帯以外の傾斜面は人工的な裸地となっており、周辺から植物種子が入り易く、植生の遷移が促進され、自然度の高い緑化を行うことができる。そして、表土シードバンクを含んだ植生基材を、傾斜面全体に吹き付けるのではなく、前記傾斜面に点在するように形成される植生基材受け部の上方側の傾斜面にのみ吹き付けるだけでよいので、表土の採取量が少なくて済み、周囲環境に及ぼされる悪影響がほとんど無いとともにコスト安に施工することができる。また、前記傾斜面に植生基材が吹き付けられることによって形成される複数の植生帯によって前記裸地の保水性が向上し、余所から飛来してきた種子の発芽が促進される。
【０００８】そして、前記補強部材として金網やプラスチック網などの網体を用いた場合（請求項３）、補強部材として軽量なものが得られるとともに、傾斜面の凹凸に応じてその形状を適宜変形することができ、設置部分の隙間を可及的に小さくすることができる。そして、この網体としては市販のものを用いることができるので、施工コストを低く抑えることができるとともに、植生ネットが設けられているので、前記網体の目合いを大きくしても、吹き付けられた植生基材の流亡が巧みに防止できる。
【０００９】また、上記目的を達成するため、この発明の緑化方法は、緑化対象である傾斜面に、植生ネットを、前記傾斜面の等高線に平行な鞘部が形成されるようにして敷設し、前記鞘部の最上位を、前記傾斜面の等高線に平行に保持された持ち上げ部材によって持ち上げて植生基材受け部を形成し、この植生基材受け部の上方側の傾斜面に表土シードバンクを含んだ植生基材を吹き付けることを特徴としている（請求項４）。
【００１０】このようにした場合においても前記請求項１または２に記載の緑化方法と同様の作用効果が得られるとともに、さらに、植生ネットそのものが植生基材受け部を構成するので、植生基材受け部の構成が簡素であり、施工コストがより安価となる。
【００１１】そして、植生ネットに肥料袋を装着しておけば（請求項５）、植物の遷移がより促進される。
【００１２】
【発明の実施の形態】以下、この発明の詳細を、図を参照しながら説明する。図１〜図３は、この発明の第１の実施の形態を示すものである。まず、図１および図２において、１は緑化対象面としての傾斜面で、例えば、法面である。２はこの法面１の上面に敷設される植生ネットで、この植生ネット２上には法面１の等高線と平行に複数の植生基材受け部３が適宜の間隔をおいて形成されており、各植生基材受け部３の上方側の法面１には植生基材４が吹き付けられて、複数の植生帯５が形成されている。そして、６は植生基材受け部３を植生ネット２の一部と構成する補強部材７（後述する）を所定の姿勢に保持するアンカーピン、８は植生ネット２に付設される肥料袋、９は植生基材吹付け機（図示していない）の吹付けノズルである。
【００１３】前記植生ネット２は、適宜の素材によって適宜の目合いを有するように、例えば、図３に示すように、平面視長方形に編組されている。そして、この植生ネット２の表面には、その長手方向をＹ、短手方向をＸとするとき、補強部材７を収容する高さが例えば１０ｃｍ程度の複数の鞘部１０と、肥料袋８を収容する肥料袋収納部１１とが適宜の間隔をおいて前記Ｘ方向に形成されている。
【００１４】そして、前記植生基材４は、表土シードバンクを含んだものよりなり、より具体的には、前記法面１の近傍の地山や森林等の表土（植物種子１２を含んでいる）にピートモスやバーク堆肥や保水材など生育補助材１３を適宜混合してなるものである。また、前記肥料袋８は、植物の生育を助長するための肥料や保水材などを適宜混合した肥料材８ａを適宜の袋８ｂ内に収容してなるものである。
【００１５】さらに、前記補強部材７は、例えば、板状体（金属，プラスチック，木材等）が使用でき、好ましくは、平面視長方形の金網よりなる。この金網７は、例えば、植生ネット２の目合いよりも大きい目合いを有しており、鞘部１０内に挿入できるように、１０ｃｍ程度の高さＨを有している。
【００１６】次に、この発明の緑化方法について、図１〜図３を参照しながら説明すると、まず、緑化対象面（施工対象面）である法面１を適宜整備して、凹凸した部分をできるだけ少なくなるように整地する（必ずしも平坦な面にする必要はない）。
【００１７】前記整地後の法面１に、複数の鞘部１０および肥料袋収納部１１が互いに平行になるように形成されている植生ネット２を、鞘部１０および肥料袋収納部１１が法面１の等高線に平行になるように敷設する。
【００１８】次いで、前記鞘部１０および肥料袋収納部１１のそれぞれに金網７および肥料袋８を収容する。そして、特に、鞘部１０内の金網７は、図１および図２に示すように、鉛直方向またはほぼ鉛直方向となるように法面１に立設し、その後、アンカーピン６を法面１に打ち込んで、前記金網７が法面１において所定の姿勢を保持させる。これによって、法面１には、植生ネット２の鞘部１０とこれに装填される金網７とからなる複数の植生基材受け部３が適宜の間隔をおいて法面１の等高線と平行に立設される。なお、この植生基材受け部３は、前記等高線と平行な方向において必ずしも連続している必要はなく、同じ等高線位置において植生基材受け部３を適宜の間隔をおいて立設してあってもよい。
【００１９】その後、図１に示すように、適宜の吹付け装置（図示していない）を用いて、植生基材４を、各植生基材受け部３の上方側の法面１に吹き付けるのである。この植生基材４の吹き付けによって、法面１には、図２に示すような断面形状が直角三角形状の複数の植生帯５が適宜の間隔をおいて法面１の等高線に平行となるように形成される。
【００２０】上記法面１に形成された植生帯５は、法面１から高々１０ｃｍ程度突出している低い囲いであり、この植生帯５の間の法面部分１ａは、植生ネット２が敷設された人工的な裸地部分となっており、しかも、この裸地部分１ａには、図２に示すように、肥料袋８が設けられているだけであるので、裸地部分１ａに周辺から植物種子が入り易い。そして、この裸地部分１ａの周囲の植生帯５は植生基材４を含むものであり、この植生基材４から植物が生育し、裸地部分１ａを遮光し、防風する。したがって、裸地部分１ａの乾燥が巧みに防止され、余所から飛来してきた種子の発芽が促進される。発芽した植物種子は保水性に優れ、かつ肥料袋８を有する裸地部分１ａにおいてより確実により速く生育する。したがって、植生の遷移が促進され、自然度の高い緑化が行われる。
【００２１】そして、上記緑化方法においては、緑化対象面である法面１全体に植生基材４を吹き付けるのではなく、法面１に段々状に形成される植生基材受け部３にのみ吹き付けるだけでよいので、表土の採取量が少なくて済み、周囲環境に及ぼされる悪影響がほとんど無いとともにコスト安に施工することができる。
【００２２】また、上記緑化方法においては、法面１に植生ネット２を敷設するようにしているので、法面１の崩落が巧みに防止される。また、この植生ネット２の素材を腐食性素材で形成した場合、植生ネット２が経時変化により法面１に同化し、環境をより保護することができる。さらに、鞘部１０に金網７を収容する場合、金網７の目合いを大きくしても、植生ネット２により植生基材４を確実に保持することができ、また、それらの網目が互いに重ならないようにすることにより、それらによって形成される目合いをより小さいものとすることができるので、植生基材受け部３によって植生基材４をより確実に保持することができる。
【００２３】ところで、上記実施の形態においては、法面１に植生ネット２を敷設した後、植生ネット２に形成された鞘部１０および肥料袋収納部１１にそれぞれ補強部材７および肥料袋８を収容しているが、これに代えて、前記鞘部１０および肥料袋収納部１１に補強部材７および肥料袋８を工場などにおいて予め収容しておき、この補強部材７および肥料袋８を備えた植生ネット２を法面１に敷設するようにしてもよい。
【００２４】なお、上記実施の形態において、補強部材７として金網を用いているが、これに代えて、プラスチック製の網を用いてもよい。また、多数の孔を穿設した板状体（金属製、プラスチック製、木製等）を用いてもよい。
【００２５】また、法面１において土砂分が多いような場合、このような法面１に植生ネット２を敷設するに際しては、図４に示すように、植生ネット２の法面１側に木毛１４を設けるようにすれば、前記法面１の浸食が効果的に防止される。
【００２６】図５は、この発明の第２の実施の形態を示すもので、この実施の形態においては、鞘部１０を、例えば、鉄筋など適宜の持ち上げ部材によって所定高さになるように保持している。すなわち、この図において、１５は鞘部１０に挿通される持ち上げ部材としての鉄筋で、この鉄筋１５は、法面１に打ち込まれるアンカーピンなどの保持部材１６によって水平に保持されている。この場合、保持部材１６は、図５において仮想線で示すように、鉄筋１５によって鞘部１０が法面１から最も離間した状態で鉛直方向またはほぼ鉛直方向に張設されるように、法面１に打ち込まれる。つまり、この実施の形態における植生基材受け部３は、鉄筋のような持ち上げ部材１５によって鉛直方向またはほぼ鉛直方向に立設される鞘部１０によって形成されている。
【００２７】このような構成を有する植生基材受け部３を法面１に形成した緑化方法においても、前記第１の実施の形態と同様の作用効果を奏することはいうまでもない。また、この実施の形態における緑化方法は、第１の実施の形態のものに比べて植生基材受け部３の構成が簡単であり、それだけ、施工コストが低減される。なお、持ち上げ部材１５は、鞘部１０を所定の高さ位置に水平状態に保持できるものであればよく、したがって、材質としては金属やプラスチックであってもよく、形状としては、棒状や管状であってもよい。
【００２８】
【発明の効果】以上説明したように、この発明の緑化方法は、緑化対象面の周囲環境に悪影響を与えることなく、これとマッチした緑化を安価かつ確実に行うことができ、自然度の高い緑化を達成することができる。
【図面の簡単な説明】
【図１】この発明の第１の実施の形態における緑化方法を示す図である。
【図２】前記緑化方法における法面の縦断面図である。
【図３】前記緑化方法で用いる植生ネットおよびこれに形成される植生基材受け部の構成の一例を示す斜視図である。
【図４】前記緑化方法の変形態様の一例を示す法面の縦断面図である。
【図５】この発明の第２の実施の形態における緑化方法で用いる植生ネットおよびこれに形成される植生基材受け部の構成の一例を示す斜視図である。
【符号の説明】
１…傾斜面、２…植生ネット、３…植生基材受け部、４…植生基材、７…補強部材、８…肥料袋、１０…鞘部、１５…持ち上げ部材。
【図１】
2004316110.tif 000003
【図２】
2004316110.tif 000004
【図３】
2004316110.tif 000005
【図４】
2004316110.tif 000006
【図５】
2004316110.tif 000007